(57)【要約】  本開示は、二次電池の容量維持率と充放電効率の低下を抑制できる、二次電池の充電システムを実現することを目的とする。本開示の一態様に係る充電システム（１０）は、二次電池（１４）と、二次電池を充電する充電器（３０）と、二次電池の充電容量を算出する手段と、第１電圧に到達するまで二次電池を充電する第１充電ステップと、第１電圧の定電圧で二次電池を充電する第２充電ステップとを行うように充電器を制御する充電制御手段（２３）とを含む。充電制御手段（２３）は、二次電池の第１電圧を基準とする満充電容量未満の範囲で設定された充電終止容量に二次電池の充電容量が到達した場合に、充電を終了する。
2020044932.tif 000002
【特許請求の範囲】
【請求項１】
二次電池と、
前記二次電池を充電する充電器と、
前記二次電池の充電容量を算出する手段と、
第１電圧に到達するまで前記二次電池を充電する第１充電ステップと、前記第１電圧の定電圧で前記二次電池を充電する第２充電ステップとを行うように前記充電器を制御する充電制御手段と、を備え、
前記充電制御手段は、前記二次電池の前記第１電圧を基準とする満充電容量未満の範囲で設定された充電終止容量に前記二次電池の充電容量が到達した場合に、充電を終了する、二次電池の充電システム。
【請求項２】
前記充電終止容量は、前記第１電圧より低い第２電圧を基準とする満充電容量に基づいて決定される、請求項１に記載の二次電池の充電システム。
【請求項３】
前記第２電圧は、前記第１電圧の９５％以上９９％以下の範囲で設定される、請求項２に記載の二次電池の充電システム。
【請求項４】
前記二次電池の劣化度合いを算出する手段を有し、
前記劣化度合いの算出結果に基づいて前記充電終止容量が変更される、請求項１から３のいずれか１項に記載の二次電池の充電システム。
【発明の詳細な説明】
【技術分野】
【０００１】
本開示は、二次電池の充電システムに関する。
【背景技術】
【０００２】
近年、電気自動車に搭載された蓄電装置、太陽光発電装置、風力発電装置に併設された大型蓄電装置、家庭用発電機に併設された蓄電装置、家庭用、データサーバのバックアップ電源としての蓄電装置など、二次電池の用途が多岐にわたっている。このような蓄電装置に用いられる二次電池は、充放電サイクルに伴い劣化することで、充放電効率が低下していく。充放電効率の低下は、蓄電装置を含む電気自動車、太陽光発電装置等のシステムの運転コストに結びつくため、充放電効率の向上が望まれる。【０００３】
特許文献１には、二次電池の初期容量からの実容量の減少分の初期容量に対する割合を劣化度として求めて、その劣化度が大きくなるほど、二次電池に与える充電電圧及び充電電流の少なくとも一方を小さくする充電システムが記載されている。これにより、二次電池の劣化を抑制できるとされている。【０００４】
特許文献２には、二次電池の劣化進行度を演算し、現在の劣化進行速度が過去の劣化進行速度より所定値以上大きい場合には、充電時の上限充電電流、上限放電電流、上限充電電圧を下げる等の充放電条件を制限することが記載されている。これにより、二次電池の容量維持率等の充放電のサイクル特性を向上できるとされている。【０００５】
特許文献３には、二次電池の算出された満充電容量の変化の度合いに基づいて、第１充電電流値または第１充電電力値を設定して二次電池を充電する充電システムが記載されている。このシステムでは、二次電池が寿命末期である場合に、第１充電電流値より小さい第２充電電流値、または第１充電電力値より小さい第２充電電力値を設定して二次電池を充電する。これにより、劣化が進んだ状態でも充電を可能とし、二次電池の使用を継続できるとされている。
【先行技術文献】
【特許文献】
【０００６】
【特許文献１】特開２００８−２５２９６０号公報
【特許文献２】特開２０１３−６５４８１号公報
【特許文献３】国際公開第２０１４／１４７９７３号
【発明の概要】
【発明が解決しようとする課題】
【０００７】
従来から知られている一般的な充電システムでは、充電電流や充電電力といった充電レート、及び充電終止電圧などが初期に設定されて充電が制御されている。二次電池のサイクル特性は充電条件に影響を受けるため、充電条件の適正化が必要である。サイクルに伴って二次電池の容量維持率が低下すると、二次電池の単セルの容量当たりの充電レートがサイクル初期に比べて相対的に大きくなってしまう。その結果、二次電池の容量維持率や充放電効率の低下が加速される。特許文献１から特許文献３に記載されているように二次電池の劣化度を求めて、それに応じて充電レートや充電終止電圧を緩和しても効果が限定的である。【０００８】
本開示の目的は、二次電池の容量維持率と充放電効率の低下を抑制できる、二次電池の充電システムを実現することである。
【課題を解決するための手段】
【０００９】
本開示に係る二次電池の充電システムは、二次電池と、二次電池を充電する充電器と、二次電池の充電容量を算出する手段と、第１電圧に到達するまで二次電池を充電する第１充電ステップと、第１電圧の定電圧で二次電池を充電する第２充電ステップとを行うように充電器を制御する充電制御手段と、を備え、充電制御手段は、二次電池の第１電圧を基準とする満充電容量未満の範囲で設定された充電終止容量に二次電池の充電容量が到達した場合に、充電を終了する。
【発明の効果】
【００１０】
本開示に係る二次電池の充電システムによれば、二次電池の容量維持率と充放電効率の低下を抑制できる。
【図面の簡単な説明】
【００１１】
【図１】図１は、実施形態の一例の二次電池の充電システムの構成図である。
【図２】図２は、実施形態の一例の充電システムにおける充電制御方法を説明するための充電容量、充電電圧及び充電電流の時間経過を示す図である。
【図３】図３は、実施形態の一例の充電システムにおける充電制御方法を示すフローチャートである。
【図４】図４は、実施例１及び比較例１の１サイクル目の充電容量の比較を示すグラフである。
【図５】図５は、実施例１の容量維持率（ａ）、充電容量（ｂ）、及び充放電効率（Ｗｈ効率）（ｃ）のサイクル数との関係を、比較例１と比較して示す図である。
【発明を実施するための形態】
【００１２】
以下に、本開示に係る実施の形態について添付図面を参照しながら詳細に説明する。以下の説明において、具体的な材料、数値等は、本開示の理解を容易にするための例示であって、充電システムの仕様に合わせて適宜変更することができる。また、以下において複数の実施形態、変形例が含まれる場合、それらの特徴部分を適宜に組み合わせて用いることは当初から想定されている。
【００１３】
図１は、実施形態の充電システム１０の構成図である。充電システム１０は、電池パック１２と、電池パック１２に電気的に接続された充電器３０とを備える。電池パック１２と充電器３０とは、正極側及び負極側のそれぞれの端子で接続される。また、電池パック１２の後述する制御装置２０は、充電器３０と、コネクタを介して通信可能に接続される。
【００１４】
[電池パック]
まず電池パック１２を説明する。電池パック１２は、二次電池１４と、制御装置２０とを含む。例えば、二次電池にはリチウムイオン電池などの非水電解質二次電池が用いられ、リチウムイオン二次電池は、複数のリチウムイオン電池セルが直列または並列またはこれらの組み合わせで接続される。各セルは、正極板、負極板、及びこれらの間に配置されるセパレータを有する。正極板は、リチウム含有遷移金属複合酸化物等の正極活物質を有する。負極板は、黒鉛等の炭素材料等の負極活物質を有する。セパレータには、ポリプロピレン、ポリエチレン等の樹脂が用いられる。なお、二次電池１４は、リチウムイオン二次電池以外とすることもできる。
【００１５】
二次電池１４には、温度センサ、電圧センサ等を含む、二次電池１４の状態を検出する状態検出部１６が設けられる。温度センサは、各セルの温度を検出して、その検出温度を後述の制御装置２０に送信する。電圧センサは、各セルの端子間電圧を検出して、その電圧データを制御装置２０に送信する。
【００１６】
電流センサ１８は、二次電池１４の負極側端子に接続され、二次電池１４の通電電流を検出して、その電流データを制御装置２０に送信する。
【００１７】
制御装置２０は、例えばＩＣを含んで構成される。制御装置２０は、Ａ／Ｄ変換器（図示せず）、充電容量算出手段２１、劣化度合い算出手段２２、充電制御手段２３、及び通信部（図示せず）を有する。
【００１８】
Ａ／Ｄ変換器は、電流センサ１８で検出された二次電池１４の電流データをデジタル値に変換する。Ａ／Ｄ変換器は、温度センサで検出された二次電池１４の温度検出値のデータ、電圧センサで検出された二次電池１４の電圧データも、デジタル値に変換する。デジタル値に変換された各データは、充電容量算出手段２１及び充電制御手段２３に送信される。
【００１９】
充電容量算出手段２１は、Ａ／Ｄ変換器から供給された、電流データ、温度データ、電圧データに基づいて、二次電池１４の現時点の充電容量（充電量）を、演算により算出する。充電容量算出手段２１は、電流データ及び電圧データの積算値等に基づいて、二次電池１４の現時点の充電容量を演算により算出してもよい。充電容量算出手段２１は、二次電池１４の開放電圧（ＯＣＶ）、閉回路電圧（ＣＣＶ）、積算充放電容量、またはこれらの組み合わせから、二次電池１４の満充電容量に対する実際の充電容量の割合である充電深度（ＳＯＣ）を算出し、そのＳＯＣから充電容量を算出してもよい。算出された充電容量は、充電時に充電終止容量に達したか否かを判断するために用いられる。詳しくは後述するが、初期に設定された充電終止容量は、充放電サイクルに伴う二次電池１４の劣化度合いに応じて変更することもできる。
【００２０】
劣化度合い算出手段２２は、二次電池１４の劣化度合いを算出する。例えば、劣化度合い算出手段２２は、二次電池１４の充電容量または放電容量の測定結果に基づいて初期容量に対する劣化度合いを算出することができる。二次電池１４の所定のＳＯＣにおけるＯＣＶや放電時の直流抵抗の初期状態からの変化と劣化度合いの対応関係を予め求めておくことで、二次電池１４のＯＣＶや直流抵抗の測定結果に基づいて劣化度合い算出手段２２が劣化度合いを算出することもできる。劣化度合いは、これらの算出方法のいずれか２つ以上を組み合わせて算出してもよい。劣化度合いは、後述の充電終止容量を変更するために用いられる。
【００２１】
劣化度合いの算出は、所定のトリガー条件が成立したときに行うことが好ましい。例えば、二次電池１４の充放電サイクルが、初期時点または前回の劣化度合いの算出時点から所定サイクル数に達したときに、トリガー条件が成立したとして、劣化度合いが算出される。トリガー条件としてサイクル数の他に、二次電池１４の駆動時間、充電回数、充電容量の積算値、及び放電容量の積算値を用いることができる。トリガー条件には２つ以上の条件を用いることができ、それらはアンド条件及びオア条件のいずれにも用いることができる。
【００２２】
充電制御手段２３は、通信部及びコネクタを介して充電器３０に充電電力値、充電電流値、または充電電圧値の制御信号を出力することで、充電器３０を制御する。また、実使用を考えると、完全放電状態から充電される場合が多いため、充電指令があったときに、制御装置２０が、二次電池１４の充電必要分を算出してもよい。例えば、充電制御手段２３が、後述の充電終止容量と、現在のＳＯＣに基づいて算出された実際の充電容量との差分を充電するように、充電器３０を制御してもよい。
【００２３】
充電制御手段２３は、具体的にはＣＰＵ及びメモリを備えるマイクロコンピュータで構成される。マイクロコンピュータのメモリは、プログラムメモリ及びワーキングメモリを含む。プログラムメモリは、電流データ、電圧データ、温度データに基づいて二次電池の充電容量、劣化度合いを算出するためのプログラム、その他の動作プログラムを記憶する。充電制御手段２３による充電制御方法は、後で詳しく説明する。
【００２４】
[充電器]
充電器３０は、制御ＩＣ、充電電流供給回路等を含む。制御ＩＣは、電池パック１２の制御装置２０と通信し、充電電流供給回路を制御する。充電電流供給回路は、制御ＩＣからの信号に基づいて、二次電池１４を充電する際の充電電流を増減調整する。充電器３０は、定電力充電（ＣＰ充電）または定電流充電（ＣＣ充電）と、定電圧充電（ＣＶ充電）とにより、二次電池１４を充電する。制御ＩＣを省略し、電池パック１２の制御装置が、充電器３０の充電電流供給回路を制御して、充電電流を増減調整する構成としてもよい。
【００２５】
[負荷]
二次電池１４には、充電器３０と並列にモータ等の負荷（図示せず）が接続される。制御装置２０は、放電制御の機能も有し、放電の指示があったときには、二次電池１４から負荷に電力を供給するように電気回路を制御する。
【００２６】
[充電制御方法]
次に、制御装置２０による充電制御方法を説明する。制御装置２０の充電制御手段２３は、第１充電ステップ及び第２充電ステップを行うように充電器３０を制御する。
【００２７】
図２は、実施形態の一例の充電システム１０における充電制御方法を説明するための充電容量、充電電圧及び充電電流の時間経過を示す図である。図２では、実線αにより、実施形態を示しており、第１充電ステップの定電力充電（ＣＰ充電）を行った後、第２ステップの定電圧充電（ＣＶ充電）を行っている。なお、図２の一点鎖線β、実線γは、それぞれ後述の比較例１、２を示している。図２では、ＣＰ充電で電流が一定で維持されるように示しているが実際には、電流は電圧の上昇に応じてなだらかに低下している。
【００２８】
第１充電ステップは、二次電池１４の推奨充電電圧値である第１電圧Ｖ１に到達するまで二次電池１４を定電力充電（ＣＰ充電）で充電する。本開示において推奨充電電圧とは、二次電池１４の仕様に基づいて決定される最大充電電圧を意味する。例えば、負極活物質及び正極活物質としてそれぞれ炭素材料及びリチウム含有遷移金属複合酸化物が用いられるリチウムイオン電池では単セル当たりの推奨充電電圧値は４．２〜４．３Ｖとされる場合が多い。第１充電ステップは、第１電圧Ｖ１に到達するまで二次電池１４を定電流充電（ＣＣ充電）で充電してもよい。
【００２９】
第２充電ステップは、第１電圧Ｖ１の定電圧で二次電池１４を充電する定電圧充電（ＣＶ充電）を行う。
【００３０】
また、充電制御手段２３は、二次電池１４の第１電圧Ｖ１を基準とする満充電容量Ｓ１未満の範囲で設定された充電終止容量Ｓ２に、二次電池１４の充電容量が到達した場合（時間ｔ１）に、充電を終了する。図２の実線αでは、ＣＶ充電に入った後すぐに充電終止容量Ｓ２に達した場合を示している。図２に示すように、二次電池１４の充電はＣＶ充電が開始した後に終了することが好ましい。
【００３１】
「充電終止容量Ｓ２」は、例えば、第１電圧Ｖ１より低い第２電圧Ｖ２を基準とする満充電容量に基づいて決定される。第２電圧Ｖ２を基準とする満充電容量は、二次電池１４の電池電圧が第２電圧Ｖ２に達するまでＣＰ充電またはＣＣ充電を行って、その後、電流値が十分に減衰するまで第２電圧Ｖ２でＣＶ充電を行うことにより測定することができる。ＣＶ充電の終止条件となる電流値は０．０２Ｃから０．０５Ｃの間で設定することが好ましい。二次電池１４が充電システム１０に組み込まれる前に充電終止容量Ｓ２が予め決定されていてもよい。
【００３２】
第２電圧Ｖ２は、例えば第１電圧Ｖ１の９５％以上９９％以下の範囲で設定される。例えば、第１電圧Ｖ１が単セル当たりで４．２Ｖであるときに、第２電圧Ｖ２は、単セル当たりで４．０〜４．１５Ｖ付近となる。このような範囲で第２電圧Ｖ２を設定することにより、第１電圧Ｖ１を基準とした充電において、ＣＶ充電が開始してから電流値が十分に減衰仕切る前に充電を終了させるための充電終止容量を設定しやすい。そのため、仕様上の推奨充電電圧である第１電圧Ｖ１を基準とする満充電容量に比べて二次電池１４の実際の充電容量が大きく低下することはない。
【００３３】
さらに、図１に戻って、劣化度合い算出手段２２は、上記のトリガー条件が成立したときに、劣化度合いを算出する。充電制御手段２３は、その算出された劣化度合いに応じて充電終止容量を低下させるように変更する。例えば、初期時点の充電容量に対する、初期時点からトリガー条件成立時点までの充電容量の低下量の比を劣化度合いとして算出することができる。そのように算出された劣化度合いをＧ（０≦Ｇ＜１）、及び、変更前の充電終止容量Ｓ２をＳ２＿１とすると、変更後の充電終止容量Ｓ２は式（１−Ｇ）×Ｓ２＿１から算出される。上記のトリガー条件の成立後の充放電サイクルでは、この変更された充電終止容量Ｓ２で充電を終了するように、充電が制御される。
【００３４】
図３は、実施形態の一例の充電システム１０における充電制御方法を示すフローチャートである。図３に示す処理は、制御装置２０により実行される。まず、充電が開始したときに、ステップＳ１１において、充電制御手段２３が、二次電池１４の充放電サイクルが所定サイクル数に達した等のトリガー条件が成立したか否かを判定する。ステップＳ１１の判定が肯定（ＹＥＳ）の場合には、ステップＳ１２に移行する。ステップＳ１１の判定が否定（ＮＯ）の場合には、ステップＳ１４に移行する。
【００３５】
ステップＳ１２では、劣化度合い算出手段２２が、劣化度合いを算出する。そして、ステップＳ１３において、充電制御手段２３が、劣化度合いの算出結果に応じて充電終止容量Ｓ２を変更する。
【００３６】
ステップＳ１４では、充電制御手段２３が、充電終止容量Ｓ２で充電を終了するように、充電制御を実行する。トリガー条件の成立前は、初期に設定された充電終止容量Ｓ２が適用される。
【００３７】
上記の充電システム１０によれば、第１電圧Ｖ１で充電する際に第１電圧Ｖ１を基準とする満充電容量Ｓ１未満の充電終止容量Ｓ２で充電を終了するので、充放電サイクルに伴う容量維持率や充放電効率の低下を抑制できる。また、第１電圧Ｖ１を基準としてＣＰ充電、ＣＶ充電等の充電を行うので第１電圧Ｖ１より低い電圧を基準として充電させる場合に比べて同じ充電容量を得るのに必要な充電時間が短縮される。劣化度合いに応じて充電終止容量Ｓ２を低下させるように変更することにより、サイクル特性がさらに向上する。
【００３８】
上記では、劣化度合い算出手段２２によって算出された劣化度合いに応じて充電終止容量Ｓ２を算出する例を説明した。その他に、充放電サイクル数が所定数に達する毎に、第１電圧Ｖ１より低い第２電圧Ｖ２を基準とする満充電容量を測定する充放電サイクルを行い、劣化度合い算出手段２２が当該満充電容量から劣化度合いを算出してもよい。この場合、測定された満充電容量は充電終止容量Ｓ２として用いることができる。次に説明する実施例１は、このような構成に対応する。
【実施例】
【００３９】
[実施例１]
まず、実施例１における二次電池１４の単セルの構成を説明する。二次電池１４の単セルは、巻回型の非水電解質二次電池とした。【００４０】
[正極板の作製]
正極活物質として、ＬｉＮｉ０．８８Ｃｏ０．０９Ａｌ０．０３Ｏ２で表されるリチウムニッケルコバルトアルミニウム複合酸化物を用いた。その後、１００質量部のＬｉＮｉ０．８８Ｃｏ０．０９Ａｌ０．０３Ｏ２（正極活物質）と、１質量部のアセチレンブラックと、０．９質量部のポリフッ化ビニリデン（ＰＶＤＦ）（結着剤）とを、Ｎ−メチル−２−ピロリドン（ＮＭＰ）の溶剤中で混合して、正極合剤スラリーを調製した。次に、ペースト状の当該正極合剤スラリーをアルミニウム箔からなる長尺な正極集電体の両面に均一に塗布し乾燥機中で乾燥させてＮＭＰを除去した後、ロールプレス機を用いて所定の厚みに圧延して長尺状の正極板を得た。さらに、圧延加工後の正極板を所定の電極サイズに裁断して、正極板を作製した。また、正極板の長さ方向中央部に活物質が形成されていない無地部を形成し、その無地部にアルミニウムの正極リードを超音波溶着により接続した。【００４１】
［負極板の作製］
負極活物質としての黒鉛粉末を１００質量部と、結着剤としてのスチレン−ブタジエンゴム（ＳＢＲ）を１質量部と、増粘剤としてのカルボキシメチルセルロース（ＣＭＣ）を１質量部とを混合した。そして、この混合したものを水に分散させて、負極合剤スラリーを調製した。この負極合剤スラリーを、銅箔からなる負極集電体の両面に塗布し、乾燥機により乾燥させた後、所定厚みとなるように圧縮ローラで圧延して長尺状の負極板を得た。そして、長尺状の負極板を所定の電極サイズに裁断して、負極板を作製した。また、負極板の無地部に、ニッケル−銅−ニッケルのクラッド材からなる負極リードを、巻回後の電極群において内周部となる位置に超音波溶着により接続した。【００４２】
［非水電解液の調製］
エチレンカーボネート（ＥＣ）と、ジメチルカーボネート（ＤＭＣ）とを、体積比でＥＣ：ＤＭＣ＝１：３となるように混合した混合溶媒の１００質量部に、ビニレンカーボネート（ＶＣ）を５質量部添加し、さらにＬｉＰＦ６を１.５モル／Ｌ溶解して非水電解液を調製した。【００４３】
［電極群の作製］
作製された正極板及び負極板を、ポリオレフィン系樹脂製のセパレータを介して渦巻状に巻回することにより、巻回型の電極群を作製した。このとき、電極群の最外周に銅箔の負極集電体が露出されるようにした。【００４４】
[二次電池の単セルの作製]
有底円筒状のケース本体の内側に円板状の絶縁板を挿入し、その上側に電極群を挿入した。このとき、電極群をケース本体に配置して負極集電体をケース本体の筒部の内面に接触させた。負極板に接続された負極リードを、ケース本体の底部の内面に溶接により接続した。次に、ケース本体の内側で電極群の上側に絶縁板を挿入し、調製した非水電解液を電極群が入れられたケース本体の内部に所定量注入した。そして、正極板に接続された正極リードを封口体に溶接により接続し、封口体をケース本体の開口部の内側にガスケットを介して挿入し、ケース本体の開口端部をかしめることで密閉型の非水電解質二次電池の単セルを作製した。また、封口体は、弁体としてアルミニウム材からなる円形の端子板に薄肉部を設けたものを用いた。端子板の薄肉部の中央部には最薄肉部を形成した。そして、所定のラプチャーディスクと絶縁板を端子板に接続し、封口体を作製した。【００４５】
このような二次電池１４の単セルにおける推奨充電電圧は４．２Ｖである。第１電圧Ｖ１に対応する４．２Ｖでの初期時の満充電容量は、４４００ｍＡｈ（１５．８Ｗｈ）であり、第２電圧Ｖ２に対応する４．１Ｖでの初期時の満充電容量は、４０００ｍＡｈ（１４．４Ｗｈ）である。【００４６】
[充放電制御]
次に制御装置２０による充放電制御を説明する。表１は、実施例１−５と、比較例１−３とにおける充電及び放電におけるモード、充電時の最大電圧、充電レート及び放電レートの変更の有無、並びに充電終止容量を示している。【００４７】
【表１】
2020044932.tif 000003
【００４８】
表１の実施例１の欄で示すように、制御装置２０に、第１パターンと第２パターンの充放電サイクルを交互に実行させた。充放電サイクルは第１パターンから開始し、第１パターンを１サイクル行い、次いで第２パターンを２４サイクル行った。第１パターンと第２パターンの合計２５サイクルの充放電サイクルのセットを４０回繰り返して行った。第１パターンの充放電サイクルは、それに続く第２パターンの充放電サイクルでの充電終止容量Ｓ２を決定するために行うものである。第１パターン及び第２パターンの充放電条件は以下の通りである。【００４９】
第１パターンでは、二次電池１４の第２電圧Ｖ２を基準とする満充電容量を測定するために充放電サイクルを行った。すなわち、二次電池１４を電池電圧が第２電圧Ｖ２（単セル当たりで４．１Ｖ）に達するまで０．５Ｅ（単セル当たりで７．９Ｗ）の定電力で充電し（ＣＰ充電）、次いで電流値が０．０５Ｃ（単セル当たりで２２０ｍＡ）に減衰するまで第１電圧Ｖ１の定電圧で充電した（ＣＶ充電）。このとき測定された充電容量が二次電池１４の第２電圧Ｖ２を基準とする満充電容量である。充電後、二次電池１４を電池電圧が放電終止電圧（単セル当たりで３Ｖ）になるまで０．５Ｅ（単セル当たりで７．９Ｗ）の定電力で放電した（ＣＰ放電）。【００５０】
第２パターンでは、直前の第１パターンの充放電サイクルで算出された第２電圧Ｖ２を基準とする二次電池１４の満充電容量を充電終止容量Ｓ２として用いた。すなわち、二次電池１４を電池電圧が第１電圧Ｖ１（単セル当たりで４．２Ｖ）になるまで０．５Ｅ（単セル当たりで７．９Ｗ）の定電力で充電し（ＣＰ充電）、次いで第１電圧Ｖ１の定電圧で充電した（ＣＶ充電）。二次電池１４の充電容量が充電終止容量Ｓ２に到達した時点で充電を終了した。その後の放電条件は第１パターンの放電条件と同一である。【００５１】
[実施例２]
実施例２では、実施例１の充放電サイクル条件に加えて、第２パターンの充放電サイクルが開始する毎に、劣化度合いに応じてＣＰ充電時の充電レートを低減した。具体的には、まず、初回の第１パターンの満充電容量から第２パターンの充放電サイクル直前の第１パターンの満充電容量を差し引いて充電容量の低下量を算出した。次に、初回の第１パターンの満充電容量に対する充電容量の低下量の比を二次電池の劣化度合いとして算出した。算出した劣化度合いをＧ（０≦Ｇ＜１）としたとき、初回の充放電サイクルの充電レートである０．５Ｅに（１−Ｇ）を乗じた式（１−Ｇ）×０．５Ｅから第２パターンの充電レートを算出した。実施例２において、その他の構成及び制御方法は、実施例１と同様である。【００５２】
[実施例３] 
実施例３では、実施例２の充放電サイクル条件に加えて、第２パターンの充放電サイクルが開始する毎に、劣化度合いに応じてＣＰ放電時の放電レートも低減した。具体的には、実施例２と同様の方法で二次電池の劣化度合いであるＧを算出した。すなわち、初回の充放電サイクルの放電レートである０．５Ｅに（１−Ｇ）を乗じた式（１−Ｇ）×０．５Ｅから第２パターンの放電レートを算出した。実施例３において、その他の構成及び制御方法は、実施例１と同様である。【００５３】
[実施例４]
実施例４では、実施例１の第１パターンの充放電サイクルにおける第２電圧Ｖ２を単セル当たりで４．１Ｖから４．１５Ｖに変更し、そのときに得られた満充電容量をその後の第２パターンの充電終止容量Ｓ２とした。実施例４において、その他の構成及び制御方法は、実施例１と同様である。【００５４】
[実施例５]
実施例５では、実施例１の第２パターンの充放電サイクルにおける第１電圧Ｖ１を単セル当たりで４．２Ｖから４．１５Ｖに変更した。実施例５において、その他の構成及び制御方法は、実施例１と同様である。【００５５】
[比較例１]
比較例１では、実施例１と同様に作製した二次電池について、第２電圧Ｖ２（単セル当たりで４．１Ｖ）を第１電圧Ｖ１（単セル当たりで４．２Ｖ）に変更したこと以外は実施例１の第１パターンの充放電サイクルと同様の条件で充放電サイクルを行った。このような充放電サイクルを１０００回繰り返した。比較例１において、その他の構成及び制御方法は、実施例１と同様である。【００５６】
[比較例２]
比較例２では、実施例１と同様に作製した二次電池について、実施例１の第１パターンの充放電サイクルと同様の条件で充放電サイクルを行った。このような充放電サイクルを１０００回繰り返した。比較例２において、その他の構成及び制御方法は、実施例１と同様である。【００５７】
[比較例３]
比較例３では、比較例２の充放電サイクル条件に加えて、二次電池の劣化度合いに応じてＣＰ充電時の充電レートを低減した。具体的には以下の通りである。比較例２の充放電サイクルを実施例のような１サイクルの第１パターンと２４サイクルの第２パターンに分けた。実施例２と同様の方法で二次電池の劣化度合いであるＧを算出した。すなわち、初回の充放電サイクルの充電レートである０．５Ｅに（１−Ｇ）を乗じた式（１−Ｇ）×０．５Ｅから第２パターンの充電レートを算出した。【００５８】
[試験結果]
表２は、上記の実施例１−５及び比較例１−３を用いた試験を行って、２５℃のサイクル特性として、１０００サイクル時点の容量維持率と充放電効率の結果を示している。容量維持率は２サイクル目の放電容量に対する１０００サイクル目の放電容量の割合（百分率）で算出し、充放電効率は１０００サイクル目の充電電力量に対する放電電力量の割合（百分率）として算出した。【００５９】
【表２】
2020044932.tif 000004
【００６０】
表１に示すように比較例２では比較例１に比べて充電における最大電圧が低いため、１サイクル目の充電容量は低下する。しかし、表２に示すように比較例２では比較例１に比べて容量維持率及び充放電効率は向上している。また、比較例３では比較例２に対し、所定サイクル毎に充電レートを劣化度合いに応じて低下させており、容量維持率及び充放電効率がわずかに向上している。【００６１】
図４は、実施例１及び比較例１の１サイクル目の充電容量の比較を示すグラフであり、図５は、実施例１の容量維持率（ａ）、充電容量（ｂ）、及び充放電効率（Ｗｈ効率）（ｃ）のサイクル数との関係を、比較例１と比較して示す図である。図４、図５（ｂ）に示すように、実施例１では、比較例１に対し、１サイクル目の充電容量は小さいが、表２、図５（ａ）（ｃ）に示すように、比較例１より容量維持率及び充放電効率が向上している。図５（ａ）で実施例１において容量維持率が階段状となっているのは、充電終止容量を所定サイクル数毎に変更しているためである。【００６２】
表１に示すように実施例１では、ほぼ同等の充電容量を示す比較例２と比較すると、第２パターンにおいて比較例２の電圧（単セル当たりで４．１Ｖ）より高い電圧（単セル当たりで４．２Ｖ）を基準として充電が行われるため、ＣＰ充電領域が長くなり充電時間が短縮される。そして、表２に示すように実施例１では、第１パターンで二次電池の劣化度合いを把握しその後の第２パターンの充電条件が適正化されるため、比較例２より容量維持率及び１０００サイクル後の充放電効率の向上を確認できた。表２には示していないが、実施例１では比較例１及び比較例２に比べてサイクル初期の段階から充放電効率が向上することが確認されている。【００６３】
実施例２、実施例３では、所定サイクル毎に充電レートを劣化度合いに応じて低下させ、実施例３ではさらに放電レートも劣化度合いに応じて低下させている。このため、実施例２、実施例３では、実施例１よりさらに容量維持率及び充放電効率の向上を確認できた。【００６４】
実施例４では、第１パターンにおける第２電圧Ｖ２を実施例１の単セル当たりの４．１Ｖから４．１５Ｖに上げているため、第２パターンにおける充電終止容量が増加するが、実施例１と比較すると容量維持率及び充放電効率のいずれも低下傾向である。しかしながら、比較例１−３に比べると実施例４における容量維持率及び充放電効率のいずれも向上している。【００６５】
実施例５では、第２パターンにおける第１電圧Ｖ１を、実施例１の単セル当たりの４．２Ｖから４．１５Ｖに下げることで、実施例１よりさらに容量維持率や充放電効率の向上を確認できた。実施例１に比べて実施例５では、ＣＰ充電による充電容量が減少する分、ＣＶ充電による充電容量が増加する。そのため、実施例５の第２パターンの充電時間が実施例１よりも長くなる。【００６６】
なお、上記の充電システムでは、図２に示したように、充電終止容量Ｓ２を、第２電圧Ｖ２を基準とする満充電容量に基づいて決定しているが、二次電池の第１電圧Ｖ１を基準とする満充電容量未満で設定するのであれば、これに限定せず設定することができる。【００６７】
また、上記の充電システムにおいて、制御装置の一部の機能は、状態検出部または電流センサにあってもよい。例えば、検出部で劣化度合いや、充電必要分が算出されてもよい。
【符号の説明】
【００６８】
１０  充電システム、１２  電池パック、１４  二次電池、１６  状態検出部、１８  電流センサ、２０  制御装置、２１  充電容量算出手段、２２  劣化度合い算出手段、２３  充電制御手段、３０  充電器。
【図１】
2020044932.tif 000005
【図２】
2020044932.tif 000006
【図３】
2020044932.tif 000007
【図４】
2020044932.tif 000008
【図５】
2020044932.tif 000009
【国際調査報告】
2020044932.tif 000010
2020044932.tif 000011